(57)【要約】【課題】本発明は、作業者が直接給油しなくても、刈刃全面に給油する装置を提供することを課題としている。【解決手段】茶畝を跨いだ門型枠の機体を茶畝に沿って走行しながら茶葉の摘採を行なう走行型茶葉摘採機において、ガイドコロを介して給油手段を刈刃フレームに係合し、ガイドコロを固定された巻取り手段に接続し、巻取り手段を引き伸ばして巻取る時に給油手段が刈刃フレーム上を移動する走行型茶葉摘採機の刈刃給油装置。【選択図】        図１
2004329118.tif 000002
【特許請求の範囲】
【請求項１】
茶畝を跨いだ門型枠の機体を茶畝に沿って走行しながら茶葉の摘採を行なう走行型茶葉摘採機において、ガイドコロを介して給油手段を刈刃フレームに係合し、ガイドコロを固定された巻取り手段に接続し、巻取り手段を引き伸ばして巻取る時に給油手段が刈刃フレーム上を移動することを特徴とする走行型茶葉摘採機の刈刃給油装置。
【請求項２】
給油手段とガイドコロを刈刃フレームの略半分の間隔で２個固定して、その一方を巻取り手段に接続し、巻取り手段を刈刃フレームの中央に設けたことを特徴とする請求項１記載の走行型茶葉摘採機の刈刃給油装置。
【請求項３】
給油手段は、給油ホースと、給油スプレーにより構成したことを特徴とする請求項１または２記載の走行型茶葉摘採機の刈刃給油装置。
【発明の詳細な説明】
【０００１】
【産業上の利用分野】
本発明は、茶畝に沿って走行しながら茶葉を摘採する走行型茶葉摘採機における刈刃の給油装置に関するものである。
【０００２】
【従来の技術】
走行型茶葉摘採機の刈刃には、バリカン刃と回転刃があり、バリカン刃は特許第２９５７５５３号等に記載されているように、上バリカン刃と下バリカン刃が互いに逆方向に往復運動して、茶葉を切断する。この刈刃の摩耗を少なくして、刈刃の切れを良くするためには、給油を行なうことが必要であり、注油を行なう為には、作業者が給油スプレーを持って門型枠の機体の下部へ体を入れ、刈刃へ直接給油を行なっていた。また、最近では、特開２００１−３４００１２に記載されているような給油装置が発明されている。
【０００３】
【発明が解決しようとする課題】
従来のように、作業者が給油を行なうために、門型枠の機体の下部へ体を入れると、万一、走行型茶葉摘採機が動いたときに、危険であり、また、刈刃に触れて、けがをする危険もあった。更に、走行型茶葉摘採機より降りて給油を行なわなければならないため面倒であった。これらの理由より、給油回数が自然と少なくなってしまい、刈刃のメンテナンスが十分にできず、摩耗が早くなり、切れなくなるという問題があった。
【０００４】
特開２００１−３４００１２の給油装置は固定されており、刈刃全面に給油することができなかった。本発明は、作業者が直接給油しなくても、刈刃全面に給油する装置を提供することを課題としている。
【０００５】
【課題を解決するための手段】
本発明の第１の手段は、茶畝を跨いだ門型枠の機体を茶畝に沿って走行しながら茶葉の摘採を行なう走行型茶葉摘採機において、ガイドコロを介して給油手段を刈刃フレームに係合し、ガイドコロを固定された巻取り手段に接続し、巻取り手段を引き伸ばして巻取る時に給油手段が刈刃フレーム上を移動する走行型茶葉摘採機の刈刃給油装置。第２の手段は、第１の手段の給油手段とガイドコロを刈刃フレームの略半分の間隔で２個固定して、その一方を巻取り手段に接続し、巻取り手段を刈刃フレームの中央に設けた走行型茶葉摘採機の刈刃給油装置。第３の手段は、第１または２の手段の給油手段は、給油ホースと、給油スプレーにより構成した走行型茶葉摘採機の刈刃給油装置。
【０００６】
【発明の実施の形態】
本実施例について、図１、２を参照して説明する。１、２はクローラによる走行装置であり、茶畝３を挟んでその両側の畝間を走行する。左右の走行装置１、２は門型枠４でつながっている。門型枠４の下方には、バリカン型の刈刃５を取付けた摘採装置が設置してある。門型枠４上には送風ファン６が設けてあり、刈刃５の前方に設けた送風管７とフレキシブルホース８でつながれている。送風ファン６の風は送風管７に付いている多数の吹出枝管９から刈刃５上へ吹き付けられる。摘採装置の後方には茶袋保持板１２が設けてあり、摘採した茶葉を収容した茶袋１０を保持する。
【０００７】
図３、４は給油部分の詳細図である。２１は給油スプレー、２２は給油ホースであり、本実施例では給油スプレー２１と給油ホース２２とにより、給油手段を構成している。給油スプレー２１は門型枠４上に乗っており、給油ホース２２は給油スプレー２１のスプレーノズル（図示しない）の先端に接続されており、通常のスプレーと同様にスプレーノズルを押すと、噴霧されるようになっている。本実施例では、２ヶ所から油を噴霧するため、給油ホース２２を２本、給油スプレー２１を２ヶ用いる。給油ホース２２の先端をガイドコロ２５に固定して、ガイドコロ２５を刈刃フレーム２７に係合して、刈刃フレーム２７の約半分の長さを間隔として２ヶ、左右固定具２６を用いて設ける。これらに、巻取り装置２８のロープ２３を接続する。左右どちらかのガイドコロ２５付近へ接続する場合は、刈刃フレーム２７の略真中へ巻取り装置２８を設置して、給油ホース２２を刈刃フレーム２７上を満遍なく移動させる。給油ホース２２が刈刃フレーム２７上を満遍なく移動することができれば、巻取り装置２８の設置位置は構わない。２４はハンドルであり、巻取り装置２８を引き出す側のガイドコロ２５付近へ設ける。
【０００８】
給油時の動作について説明する。作業者１１は運転席１３上で、ハンドル２４を持ってガイドコロ２５を移動させ、巻取り装置２８からロープ２３を引き出した状態にする。巻取り装置２８がロープ２３を巻き取っている最中に、給油スプレー２１のスプレーノズル（図示しない）を押して、給油ホース２２の先端から刈刃５に向けて給油を行なう。巻取り装置２８がロープ２３を巻き取り終わったところで、スプレーノズルを押すことをやめ、給油が終了する。給油の前後は、運転席１３でそのまま摘採作業を行なう。
【０００９】
本実施例は、２ヶ所から給油を行なうようにしたが、図５のように、給油ホースを１本にして、巻取り装置を刈刃フレームの一方の隅に設置して、ガイドコロを刈刃フレームの他端まで引き出して、巻取り装置まで巻き取るようにしてもよく、このようにすれば、ガイドコロ、給油ホース、給油スプレーなどが１個ずつでよい。また、ガイドコロ、給油ホース、給油スプレーなどを３個以上設けてもよい。
【００１０】
巻取り手段には、モータ、エアシリンダ、油圧シリンダ、モータシリンダ等のアクチュエータを用いてもよい。
【００１１】
【発明の効果】
走行型茶葉摘採機の運転席にいるまま給油作業が出来るため、作業性もよく、安全性もあり、楽に給油できることにより、給油回数も増え、刈刃の摩耗が少なくなり、刈刃の寿命が長くなる。
【図面の簡単な説明】
【図１】走行型茶葉摘採機の平面図。
【図２】走行型茶葉摘採機の正面図。
【図３】走行型茶葉摘採機の給油部分の詳細平面図。
【図４】走行型茶葉摘採機の給油部分の詳細側面図。
【図５】他の実施例の給油部分の詳細平面図。
【符号の説明】
１  走行装置
２  走行装置
３  茶畝
４  門型枠
５  刈刃
６  送風ファン
７  送風管
８  フレキシブルホース
９  吹出枝管
１０  茶袋
１１  作業者
１２  茶袋受板
１３  運転席
２１  給油スプレー
２２  給油ホース
２３  ロープ
２４  ハンドル
２５  ガイドコロ
２６  固定具
２７  刈刃フレーム
２８  巻取り装置
３２  給油ホース
３３  ロープ
３４  ハンドル
３５  ガイドコロ
３７  刈刃フレーム
３８  巻取り装置
【図１】
2004329118.tif 000003
【図２】
2004329118.tif 000004
【図３】
2004329118.tif 000005
【図４】
2004329118.tif 000006
【図５】
2004329118.tif 000007